(57)【特許請求の範囲】
【請求項１】
透過型液晶表示板を背面から照射するバックライト用の蛍光管と、
上記バックライト用の蛍光管を駆動する駆動手段と、
映像信号の水平走査周波数の偶数倍の基準信号を出力することができる第１の発振器と、
映像信号の水平走査周波数の奇数倍の基準信号を出力することができる第２の発振器と、
映像信号の水平走査ラインに応じて、上記第１の発振器と、上記第２の発振器とを切り替える切替手段と、
上記第１、第２の発振器からの基準信号に基づいて、上記駆動手段を制御する駆動パルスを生成する駆動パルス生成手段と、
映像信号に含まれるブランキング期間を抽出するブランキング期間抽出手段と、
該ブランキング期間抽出手段で抽出されたブランキング期間では、上記駆動パルス生成手段における駆動パルスの生成を休止させるミュート手段とを備え、
上記透過型液晶表示板に表示される映像信号のブランキング期間では、上記バックライト用の蛍光管を消灯すると共に、
映像信号の水平走査期間では、上記切替手段によって、水平走査ラインごとに上記第１の発振器と上記第２の発振器とを切り替えて、上記駆動パルス生成手段で上記第１の発振器、または上記第２の発振器の基準信号に同期した駆動パルスを生成し、上記駆動手段で上記バックライト用の蛍光管を駆動するようにしたことを特徴とする液晶表示装置。
【請求項２】
上記駆動手段は、他励型のインバータ回路によって構成されていることを特徴とする請求項１に記載の液晶表示装置。
【請求項３】
当該液晶表示装置は、上記バックライト用の蛍光管の輝度を調光する調光手段を備えていることを特徴とする請求項１に記載の液晶表示装置。
【発明の詳細な説明】
【０００１】
【発明の属する技術分野】
本発明は液晶表示装置に関わり、映像が表示される透過型液晶表示板の背面に設けられるバックライト用の蛍光管を駆動するのに好適なものである。
【０００２】
【従来の技術】
従来から映像等を透過型液晶表示板に表示する液晶表示装置においては、映像を表示する透過型液晶表示板の表示画面全体を照射するため、その背面にバックライト用の蛍光管が設けられている。
【０００３】
図８は、従来の液晶表示装置に適用されているバックライト用の蛍光管の駆動装置の一構成例を示した図である。
この図８において、蛍光管１００は図示しない透過型液晶表示板の背面に設けられ、その透過型液晶表示板を背面から照射するバックライト用蛍光管である。
【０００４】
破線で囲ったインバータ回路１１０は、蛍光管１００を駆動する自励制御方式のインバータ回路である。
このインバータ回路１１０は、電圧入力端子ｔ２１からチョークコイルＬ、始動用抵抗Ｒ１１を介して直流動作電圧Ｖｃｃが入力され、トランジスタＱ１１が導通すると、トランスＴ１１の一次巻線Ｎ１１に電流が流れて電圧が生じると共に、帰還巻線ＮｆにトランジスタＱ１１がオンとなる方向の電圧が誘起される。この時、トランジスタＱ１２は帰還巻線Ｎｆに誘起される電圧によって逆バイアス状態となりオフとなる。
【０００５】
そして、トランスＴ１１が可飽和状態になると、一次巻線Ｎ１１に生じる電圧が減少し、トランジスタＱ１１がオフになると共に、帰還巻線Ｎｆに逆起電力が誘起されてトランジスタＱ１２がオンになり、トランスＴ１１の一次巻線Ｎ１２に電流が流れて電圧が生じると共に、帰還巻線ＮｆにトランジスタＱ１２がオンとなる方向の電圧が誘起される。
【０００６】
そして、トランスＴ１１が再び可飽和状態になると、一次巻線Ｎ１２に生じる電圧が減少し、トランジスタＱ１２がオフ、トランジスタＱ１１がオンとなり、以降上記したような動作、つまりスイッチング動作を行うことになる。
このようなトランジスタＱ１１，Ｑ１２のスイッチング動作は、トランスＴ１１の一次巻線と、この一次巻線と並列に接続された共振コンデンサＣ１１によってそのスイッチング周波数が決定される。
【０００７】
これにより、トランスＴ１１の二次巻線Ｎ２１には、昇圧された交番電圧が励起され、この交番電圧によって電流制限用コンデンサＣ１２を介して接続端子ｔ２２、ｔ２３に接続されている蛍光管１００に管電流が流れて蛍光管１００を点灯させるようにしている。
【０００８】
【発明が解決しようとする課題】
ところで、上記したようなバックライト用の蛍光管１００では、バックライト用の蛍光管１００を駆動するインバータ回路１１０が自励制御方式とされるため、液晶表示装置が駆動されている間は、バックライト用の蛍光管１００も常時点灯状態となり、非常に電力を消費するという問題点があった。
【０００９】
また、例えば液晶表示装置の表示画面上に映像が表示されない、例えば映像信号の垂直ブランキング期間では、インバータ回路１１０に供給する直流動作電圧Ｖｃｃをオフにして、インバータ回路１１０を間欠発振させ、蛍光管１００における消費電力を低減させるようにした場合、インバータ回路１１０のスイッチング周波数のゼロ・クロスポイントを無視するタイミングでインバータ回路１１０がオフされるため、ノイズの点で不利になるという欠点があった。
【００１０】
【課題を解決するための手段】
本発明は上記したような問題点を解決するためになされたものであり、透過型液晶表示板を背面から照射するバックライト用の蛍光管と、バックライト用の蛍光管を駆動する駆動手段と、所定の周波数の基準信号を出力することができる発振器と、この発振器からの基準信号に基づいて、上記駆動手段を制御する駆動パルスを生成する駆動パルス生成手段と、映像信号に含まれるブランキング期間を抽出するブランキング期間抽出手段と、このブランキング期間抽出手段で抽出されたブランキング期間では、駆動パルス生成手段における駆動パルスの生成を休止させるミュート手段とを備え、透過型液晶表示板に表示される映像信号のブランキング期間では、バックライト用の蛍光管を消灯するようにした。
【００１１】
また、本発明の液晶表示装置は、透過型液晶表示板を背面から照射するバックライト用の蛍光管と、バックライト用の蛍光管を駆動する駆動手段と、映像信号の水平走査周波数の偶数倍の基準信号を出力することができる第１の発振器と、映像信号の水平走査周波数の奇数倍の基準信号を出力することができる第２の発振器と、映像信号の水平走査ラインに応じて、第１の発振器と、第２の発振器とを切り替える切替手段と、第１、第２の発振器からの基準信号に基づいて、駆動手段を制御する駆動パルスを生成する駆動パルス生成手段と、映像信号に含まれるブランキング期間を抽出するブランキング期間抽出手段と、このブランキング期間抽出手段で抽出されたブランキング期間では、駆動パルス生成手段における駆動パルスの生成を休止させるミュート手段とを備え、透過型液晶表示板に表示される映像信号のブランキング期間では、バックライト用の蛍光管を消灯すると共に、映像信号の水平走査期間では、切替手段によって、水平走査ラインごとに第１の発振器と第２の発振器とを切り替えて、駆動パルス生成手段で第１の発振器、または第２の発振器の基準信号に同期した駆動パルスを生成し、駆動手段でバックライト用の蛍光管を駆動するようにした。
【００１２】
また、駆動手段は、他励型のインバータ回路によって構成することとした。
またさらに、バックライト用の蛍光管の輝度を調光する調光手段を備えることとした。
【００１３】
本発明によれば、バックライト用の蛍光管を駆動する駆動手段を他励型とし、映像が非表示とされる映像信号の垂直／水平ブランキング期間では、駆動パルス生成手段で駆動パルスが生成されないようにすることで、駆動手段が非動作となり、バックライト用の蛍光管を消灯させることができる。
【００１４】
また、映像信号の水平走査期間では、水平走査ラインごとに第１の発振器、または第２の発振器からの基準信号に同期した駆動パルスを交互に生成し、水平走査ラインごとに異なる周期とされる駆動パルスで駆動手段の駆動を行うことで、表示画面上に発生する光学的な明暗ムラをなくすようにした。
【００１５】
【発明の実施の形態】
以下、本発明の実施の形態について説明する。
図１は、本実施の形態とされる液晶表示装置に適用されるバックライト用の蛍光管の駆動装置の一構成例を示した図である。
この図１において、蛍光管１００は図示しない透過型液晶表示板の背面に設けられ、透過型液晶表示板を背面から照射するバックライト用蛍光管である。
【００１６】
破線で囲ったインバータ回路１０は、蛍光管１００を駆動する他励制御方式のインバータ回路である。このインバータ回路１０は、並列に接続されたトランスＴ１の一次巻線Ｎ１と共振コンデンサＣ１１の両端が、それぞれトランジスタＱ１１、Ｑ１２のコレクタに接続されている。
トランジスタＱ１１、Ｑ１２のエミッタは接地され、ベースはそれぞれ入力端子ｔ１１、ｔ１２を介して後述する駆動パルス生成器１の出力端子ｔ４，ｔ５に接続されている。
【００１７】
トランスＴ１の２次巻線Ｎ２は、一方が電流制限用コンデンサＣ１２を介して接続端子ｔ１３に、他方が端子ｔ１４にそれぞれ接続されており、この端子ｔ１３、ｔ１４には蛍光管１００が接続されている。
【００１８】
このような構成とされる他励制御式のインバータ回路１０においては、駆動パルス生成器１からの駆動パルスＰ１，Ｐ２によって、トランジスタＱ１１、Ｑ１２を交互にオン／オフする。これにより、トランスＴ１の二次巻線Ｎ２に昇圧された交番電圧が発生し、この交番電圧によって電流制限用コンデンサＣ１２を介して、端子ｔ１３、１４に接続されている蛍光管１００に管電流が流れて蛍光管１００が点灯することになる。
【００１９】
上記インバータ回路１０に対して駆動パルスを供給する駆動パルス生成器１は、フリップフロップ回路２、鋸歯状波形生成回路５、比較回路３、及びミュート回路４によって構成される。
【００２０】
鋸歯状波形生成回路５はトランジスタＱ１，Ｑ２、コンデンサＣ１，Ｃ２によって構成され、トランジスタＱ１，Ｑ２のベースはフリップフロップ回路２の出力ラインと接続されている。また、トランジスタＱ１，Ｑ２のコレクタには、それぞれ一端に直流動作電圧Ｖｃｃが印加されたコンデンサＣ１，Ｃ２が接続されている。またエミッタは接地されている。
【００２１】
比較回路３は比較器３ａ，３ｂによって構成され、各比較器３ａ，３ｂの一方の入力端子（＋）は、トランジスタＱ１，Ｑ２のコレクタと接続され、他方の入力端子（−）は端子ｔ２を介して後述する調光部１６の出力ラインと接続されている。
【００２２】
ミュート回路４はトランジスタＱ３と抵抗Ｒ１からなり、トランジスタＱ３のベース−エミッタ間に抵抗Ｒ１が接続され、エミッタには直流動作電圧Ｖｃｃが供給されている。またベースは端子ｔ３を介して後述する同期信号合成部１５の出力ラインと接続され、コレクタは調光部１６の出力ラインと接続されている。
【００２３】
水平同期クロック発生器１１は、図示しない透過型液晶表示板に表示される映像の映像信号に含まれている水平同期信号に同期したクロックを発生しており、この水平同期クロック発生器１１から出力される水平同期クロックは、水平ライン判別器１２、及びオシレータ１４ａ，１４ｂに供給されている。
【００２４】
水平ライン判別器１２は、水平同期クロックに基づいて、映像信号の水平走査ラインをカウントする。そして、その水平走査ラインが偶数番目のラインか奇数番目のラインかの判別を行い、その判別結果に基づいてスイッチ１３の切替制御を行うようにしている。
この水平ライン判別器１２は、例えば９ビットのカウンタによって構成され、、水平走査ラインをカウントするようにしている。通常、大型のディスプレイ装置ではＶＧＡ（画素数６４０×４８０）表示とされ、ラインタブラーを通じて倍速化して表示（５２５プログレッシブ表示）しているので、水平走査ラインが４８０ラインとされている。従って、水平ライン判別器１２のカウンタでは、４８１ライン目でカウンタのリセットを行うと共に、最下位ビットの出力（１，０）をスイッチ１３の切替パルスとして用いることで実現することができる。
【００２５】
オシレータ１４ａ，１４ｂは、例えばＰＬＬ（Phase Locked Loop）回路と、電圧制御発振器ＶＣＯによって構成されており、水平同期クロックに基づいて、ＰＬＬ回路で電圧制御発振器ＶＣＯをコントロールして、例えば水平走査周波数の偶数倍または奇数倍に同期した基準信号を出力するようにされる。
なお、オシレータ１４ａ，１４ｂは上記したような構成に限定されるものでなく、例えば所定の発振周波数の出力が得られる水晶発振器等によって構成してもよい。その場合は当然ながら水平同期クロックを入力する必要はない。
【００２６】
同期信号合成部１５は  インバータ回路１５−１、１５−２、ノア回路１４−３によって構成されており、インバータ回路１５−１，１５−２において入力される水平同期信号Ｈ、及び垂直同期信号Ｖをそれぞれ反転した後、ノア回路１５−３で、その排他論理和を得るようにしている。つまり同期信号合成部１５では、水平同期信号Ｈと垂直同期信号Ｖとをアクティブローで合成した同期負極性の複合同期信号を得るようにしている。
【００２７】
調光部１６は、比較器１６−１によって構成されており、一方の端子（＋）には直流動作電圧Ｖｃｃを分圧抵抗Ｒ２，Ｒ３で分圧した電圧が所定の基準電圧として入力され、他方の端子（−）には蛍光管１００の輝度を調光するための調光用コントロール電圧ＶＴが入力されている。例えば蛍光管１００を輝度を最大にする時は調光用コントロール電圧ＶＴを０Ｖにして比較器１６−１の出力レベルＳ３を基準電圧レベルとなるようにする。また、蛍光管１００の輝度を抑制する時は調光用コントロール電圧ＶＴを高くして、比較器１６−１の出力レベルＳ３を基準電圧レベルより低くなるようにする。
【００２８】
上記したような本実施の形態とされるバックライト用の蛍光管の駆動装置の動作を図２，図３に示すタイミング図を参照しながら説明する。
まず、図２のタイミング図を参照しながら上記図１に示したバックライト用蛍光管の駆動装置の基本的な動作について説明する。
【００２９】
上記図１に示した駆動パルス生成器１の端子ｔ１に、オシレータ１４ａ、１４ｂの何れか一方から例えば図２（ａ）に示すような基準信号ＯＳＣが入力されたとすると、フリップフロップ回路２からは同図（ｂ）に示すような基準信号ＯＳＣの立ち上がりで状態を反転させた出力Ｑと、同図（ｃ）に示すような反転出力Ｑ￣が出力される。
【００３０】
このフリップフロップ回路２の出力Ｑ、及び反転出力Ｑ￣は、鋸歯状波形生成部５のトランジスタＱ１、Ｑ２のベースにそれぞれ入力される。そして、トランジスタＱ１がオンになると、トランジスタＱ１のコレクタに接続されているコンデンサＣ１は直流駆動電圧Ｖｃｃによって充電され、コレクタ電圧は「ロー」レベルになる。
また、トランジスタＱ１がオフになると、コンデンサＣ１は自己放電することにより、直流動作電圧Ｖｃｃとなるように徐々に放電されるため、トランジスタＱ１のコレクタ電圧は、同図（ｄ）に示すような鋸歯状波電圧Ｓ１となる。また、同様にしてトランジスタＱ２のコレクタ電圧は同図（ｅ）に示すような鋸歯状波電圧Ｓ２となる。
【００３１】
そして、この鋸歯状波電圧Ｓ１，Ｓ２が比較回路３に設けられている比較器３ａ，３ｂの一方の入力端子（＋）にそれぞれ印加される。
また、比較器３ａ，３ｂの他方の入力端子（−）には、端子ｔ２を介して調光部１６の出力Ｓ３が入力されている。従って、調光部１６から比較器３ａ，３ｂに図２（ｄ）、（ｅ）に実線で示したような出力Ｓ３が印加されると、比較器３ａ，３ｂからは同図（ｆ），（ｇ）に実線で示したような駆動パルスＰ１，Ｐ２が出力される。この駆動パルスＰ１，Ｐ２が端子ｔ４，ｔ５を介してインバータ回路１０のトランジスタＱ１１，Ｑ１２のベースに印加される。
【００３２】
また、調光部１６から比較器３ａ，３ｂに図２（ｄ）、（ｅ）に破線で示したような出力Ｓ３が印加されると、比較器３ａ，３ｂからは同図（ｆ），（ｇ）に破線で示したような駆動パルスＰ１，Ｐ２が出力され、この駆動パルスＰ１，Ｐ２が端子ｔ４，ｔ５を介してインバータ回路１０のトランジスタＱ１１，Ｑ１２のベースに印加される。
【００３３】
つまり、調光部２６に入力されている調光用コントロール電圧ＶＴによって、調光部１６の出力Ｓ３のレベルを可変して比較回路３の比較器３ａ，３ｂから出力される駆動パルスＰ１，Ｐ２のパルス幅を可変できるようにしている。
【００３４】
このようにして駆動パルス生成器１において生成した駆動パルスＰ１，Ｐ２によって、インバータ回路１０を駆動することで、上述したようにインバータ回路１０において交番電圧が励起されて蛍光管１００が点灯することになる。
また、調光部１６に入力される調光用コントロール電圧ＶＴによって、駆動パルス生成器１で生成される駆動パルスＰ１，Ｐ２のパルス幅を可変することで、蛍光管１００の輝度のデューティ比を可変して調光を行うことができるようされる。従って、例えば屋内や屋外といった使用環境等に応じて、透過型液晶表示板を照射する蛍光管１００の輝度を調整することができる。
【００３５】
なお、蛍光管１００を最大輝度となるように駆動パルス生成器１のパルス出力Ｐ１，Ｐ２のパルス幅を最大にする場合においても、図２（ｆ），（ｇ）に示すようにパルス出力Ｐ１，Ｐ２が共にオフとなる期間ＴＤ（デットタイム）を設けることで、インバータ回路１０のトランジスタＱ１１、Ｑ１２が共にオンになることがないようにしている。
【００３６】
ところで、液晶表示装置に表示される映像の映像信号には、映像データが含まれていない期間、つまり垂直ブランキング期間と水平ブランキング期間が含まれている。
垂直ブランキング期間は、テレビジョン方式によって例えばＮＴＳＣ方式では１フィールド（２６２．５Ｈ）毎に２０Ｈ含まれているため１フレーム（５２５Ｈ）では４０Ｈ含まれている。従って、映像信号１秒当たりには４０／５２５（ｓｅｃ）の垂直ブランキング期間が含まれていることになる。
【００３７】
また、映像信号１秒当たりには、約１１×（５２５−４０）×３０（μｓｅｃ）の水平ブランキング期間が含まれているため、この水平ブランキング期間と垂直ブランキング期間を合計すると、１秒間当たりの映像信号には約０．２３６（ｓｅｃ）のブランキング期間が含まれていることになる。
このようなブランキング期間では、透過型液晶表示板に映像が表示されないため、この期間にバックライト用の蛍光管１００を点灯しても、その発光が有効に利用されないことになる。
【００３８】
そこで、本発明においては、この透過型液晶表示板に映像が表示されない期間、つまり映像信号の水平／垂直ブランキング期間ではバックライト用の蛍光管１００の発光を休止させることで、蛍光管１００で消費される消費電力を低減させるようにした。
このため、本実施の形態においては駆動パルス生成器１内にミュート回路４を設けると共に、映像信号に含まれる垂直／水平同期信号を合成するための同期信号合成部１５が設けられている。
【００３９】
図３は、上記した駆動パルス生成器１において、映像信号に含まれるブランキング期間において、蛍光管１００の発光を休止させる動作を説明するためのタイミング図である。
この図３（ａ）は同期信号合成部１５に入力される水平同期信号Ｈ、同図（ｂ）は垂直同期信号Ｖの波形をそれぞれ示しており、これらの垂直／水平同期信号Ｖ、Ｈは、同期信号合成部１５のインバータ１５−１，１５−２で反転された後、ノア回路１５−３に入力される。
ノア回路１５−３の出力Ｓ４は、同図（ｃ）に示すような水平同期信号Ｈと、垂直同期信号Ｖを合成したものとなり、この出力Ｓ４が端子ｔ３を介してミュート回路４に設けられているトランジスタＱ３のベースに印加される。
【００４０】
従って、このミュート回路４のトランジスタＱ３がオンとなる期間、つまり同期信号合成部１５からの出力Ｓ４が「ロー」になるブランキング期間では、トランジスタＱ３のコレクタと接続されている調光部１６の出力ラインが、調光部１６の出力レベルＳ３に関わらず、「ハイ」レベルにプルアップされることになる。この結果、液晶表示装置での映像が非表示となる映像信号のブランキング期間では、比較回路３の比較器３ａ，３ｂからは駆動パルスＰ１，Ｐ２が出力されず、インバータ回路１０が非動作状態となるため、蛍光管１００を消灯させることができる。
【００４１】
このように構成することで、図４（ａ）に示すように映像信号の垂直ブランキング期間ではインバータ回路１０に駆動パルス生成器１からの駆動パルスＰ１，Ｐ２が供給されず、インバータ回路１０が非動作状態になるため、バックライト用の蛍光管１００の発光を休止することができる。
また同図（ｂ）に示すように、映像信号の水平ブランキング期間もインバータ回路１０に駆動パルス生成器１からの駆動パルスＰ１，Ｐ２が供給されず、インバータ回路が非動作状態になるため、バックライト用の蛍光管１００の発光を休止することができる。
【００４２】
これにより液晶表示装置に表示される映像の輝度を落とすことなく、バックライト用の蛍光管１００における消費電力を約２３％低減することができるようになる。特に、バックライトに要する基本電力が数百ワットと大きい大画面の液晶表示装置に適用すれば、数十ワット単位で消費電力を削減することができる。
また、調光部１６による蛍光管１００の調光を併用して使用することができるため、例えば屋内などでは、さらに調光部１６によって蛍光管１００の輝度を落とすことで、さらなる消費電力の削減を図ることもできる。
【００４３】
ところで、上記したような駆動パルス生成器１に供給される基準信号を固定した場合は、インバータ回路１０のスイッチング周波数が一定になるため、表示画面には固定の光学的明暗のムラが生じる恐れがある。
特に、インバータ回路１０のスイッチング周波数を映像信号の走査周波数ｆ（例えば１５．７３４２ＫＨｚ）の整数倍に固定した場合は、表示画面上に表示される画像と同期して、固定の光学的な固定縞（明暗パターン）がより明確になることが予想される。
【００４４】
そこで、本実施の形態においては、例えば映像信号の水平走査周波数ｆの偶数倍（例えば２×ｆ×ｍ倍：但し、ｍは補正値）に同期した基準信号を発生することができるオシレータ１４ａと、水平走査周波数ｆの奇数倍（例えば２．５×ｆ×ｍ倍）に同期した基準信号を発生することができるオシレータ１４ｂを設け、切替スイッチ１３によって、偶数番目の水平走査ライン、奇数番目の水平走査ラインに応じて、駆動パルス生成器１に供給する基準信号ＯＳＣを切り換えられるようにしている。なお、補正値ｍはオシレータ１４ａ，１４ｂの基準信号を１水平走査期間内に収めるための補正値である。
【００４５】
このように構成すれば、偶数番目の水平走査ラインが走査されている時は、バックライト用の蛍光管１００には、例えば図５（ａ）に示すようなオシレータ１４ａの基準信号２ｆに対応したランプ電流が流れ、その時の蛍光管１００の発光出力はランプ電流の２倍の周波数４ｆによって得られることになる。
また、奇数番目の水平走査ラインが走査されている時は、バックライト用の蛍光管１００には、例えば図５（ｂ）に示すようなオシレータ１４ｂの基準信号２．５ｆに対応したランプ電流が流れ、その時の蛍光管１００の発光出力はランプ電流の２倍の周波数５ｆによって得られることになる。
【００４６】
この結果、インバータ回路１０のスイッチング周波数が偶数番目の水平走査ラインと奇数番目の水平走査ラインでは位相が１８０度ずれるため、図６に示すようにバックライトによる表示画面上の輝度の明部と暗部とが市松模様に配されるため、インターリーブ効果によって、表示画面にはバックライトによる光学的な固定縞（明暗パターン）が生じるということを防止することができる。
また、インバータ回路１０による蛍光管の１００のスイッチング周波数は映像信号に同期しているため、水平走査ラインごとにスイッチング周波数の切り替えを行っても、常にゼロ・クロスポイントのタイミングで切り替えが行われるため、ノイズが発生するといったこともない。
【００４７】
以上、本発明の好ましい実施の形態について説明したが、本発明はこれに限定されるものでない。例えば映像信号の垂直ブランキング期間だけバックライト用蛍光管１００の発光を休止したり、水平ブランキング期間だけバックライト用蛍光管１００の発光を休止するといったようなことも可能である。
また、インターリーブ方式で表示されている映像の場合は、オシレータ１４ａ，１４ｂの切替を例えば図７に示すようにフィールド単位で切り替えるようにしてもよい。
【００４８】
【発明の効果】
以上、説明したように本発明の液晶表示装置は、バックライト用の蛍光管を駆動する駆動手段を他励型とし、映像が非表示とされる映像信号の垂直／水平ブランキング期間では、駆動パルス生成手段で駆動パルスが生成されないようにすることで、駆動手段が非動作となりバックライト用の蛍光管を消灯させることができるため、液晶表示装置の輝度を落とすこなく消費電力を大幅に削減することができる。
特に、本発明をバックライトに要する基本電力が数百ワットと大きい大画面の液晶表示装置に適用すれば、数十ワット単位で消費電力を削減することができるため、非常に効果的なものとされる。
【００４９】
また、本発明は映像信号の水平走査期間では、水平走査ラインごとに、第１の発振器、または第２の発振器からの基準信号に同期した駆動パルスを交互に生成し、この水平走査ライン毎に異なる周期とされる駆動パルスで駆動手段の駆動を行うことで、表示画面上に発生する光学的な固定縞をなくすことができるといった効果もある。
【００５０】
さらにまた、本発明はバックライト用の蛍光管の輝度を調光する他の調光手段と併用することが可能であるため、使用環境等によってはさらなる消費電力の削減を図ることも可能である。
【図面の簡単な説明】
【図１】本発明の実施の形態とされるバックライト用蛍光管の駆動装置の一構成例を示した図である。
【図２】本実施の形態とされるバックライト用蛍光管の駆動装置の基本的な動作を説明するためのタイミング図である。
【図３】本実施の形態とされるバックライト用蛍光管の駆動装置において蛍光管１００の発光を休止させる動作を説明するためのタイミング図である。
【図４】本実施の形態とされるバックライト用蛍光管の駆動装置による映像信号の発光／休止の様子を示した図である。
【図５】本実施の形態による蛍光管１００のランプ電流及び発光出力の様子を示した図である。
【図６】本実施の形態によってバックライトによる表示画面の明部と暗部の様子を示した図である。
【図７】本実施の形態とされる水平ライン判別器における他の切替例を説明するための図である。
【図８】従来のバックライト用蛍光管の駆動装置の一構成例を示した図である。
【符号の説明】
１  駆動パルス生成器、２  フリップフロップ回路、３  比較回路、４  ミュート回路、５  鋸歯状波形生成部、１０  インバータ回路、１１  水平同期クロック、１２  水平ライン判別器、１３  スイッチ、１４ａ，１４ｂ  オシレータ、１５同期信号合成部、１６  調光部、１００  蛍光管
【図１】
0004200542.tif 000002
【図２】
0004200542.tif 000003
【図３】
0004200542.tif 000004
【図４】
0004200542.tif 000005
【図５】
0004200542.tif 000006
【図６】
0004200542.tif 000007
【図７】
0004200542.tif 000008
【図８】
0004200542.tif 000009